(57)【特許請求の範囲】
【請求項１】
一方側に開口された箱状に形成されて遊技機に取り付けられるケース本体部材と、一方側に開口された箱状に形成されて前記ケース本体部材の内側に嵌入されて装着されるケース蓋部材とを備え、前記ケース本体部材に前記ケース蓋部材を装着して形成されるケース内部に前記遊技機に搭載された電子部品を制御する制御基板を収容する基板ケースにおいて、
前記ケース蓋部材の側壁部に外方に突出して形成された複数の係合突起部を、前記ケース本体部材の側壁部に形成された複数の挿入溝部にそれぞれ挿入してスライド移動させることで、前記挿入溝部に繋がって形成された閉止溝部に係合させて前記ケース本体部材に前記ケース蓋部材が装着される構成となっており、
前記ケース蓋部材の側壁部に、外方に突出して形成された挿入溝被覆部および間隙被覆部が形成されており、
前記挿入溝被覆部は、前記スライド移動により前記係合突起部が前記閉止溝部に係合した状態で前記挿入溝部と近接対向して前記挿入溝部を塞ぐ位置に設けられ、
前記間隙被覆部は、前記ケース本体部材の側壁端部と近接対向して前記ケース本体部材の側壁部と前記ケース蓋部材の側壁部との隙間を塞ぐように設けられていることを特徴とする基板ケース。
【請求項２】
前記係合突起部が前記閉止溝部に係合された状態において、前記ケース本体部材に対する前記ケース蓋部材の前記スライド移動方向への移動を規制する移動規制部材を備えていることを特徴とする請求項１に記載の基板ケース。
【請求項３】
前記挿入溝被覆部の肉厚は、前記ケース蓋部材の側壁部の肉厚よりも薄く形成されていることを特徴とする請求項１または２に記載の基板ケース。
【発明の詳細な説明】
【技術分野】
【０００１】
本発明は、内部に基板が保持されて遊技盤の裏面側に取り付けられる基板ケースにおい
て、この基板ケースが不正に開放されることを防止する基板ケースに関する。
【背景技術】
【０００２】
パチンコ機やスロットマシン等の遊技機では、遊技機の作動を制御する制御基板が設け
られている。例えば、パチンコ遊技機では、外枠に対して開閉可能に組み付けられた前枠
裏側の収容枠に遊技盤等が装備され、この遊技盤に制御基板が取り付けられている。スロットマシンにおいても同様に、開閉カバーの裏面に制御基板が取り付けられている。
【０００３】
これらの制御基板は、賞球もしくはメダルの払出制御、電動役物の開閉制御、リールの
回転制御、図柄組み合わせの発生確率制御等、パチンコ遊技若しくはスロットマシンの作
動を制御する基板であり、遊技機の制御ソフトウェアが記録されたＲＯＭが搭載されて遊
技機の作動を制御する中枢制御装置としての役割を有している。このため、制御基板は、偽造ＲＯＭへの差し替え等の不正改造を防止するために、開口部を有し箱型に形成された基板ケース内に収容されている（例えば、特許文献１参照）。そして、制御基板は、箱型の２つの基板ケースの内部に収容され、２つの基板ケースの開口部を合わせることによって基板ケースが制御基板の外周を覆うように構成し、制御基板に直接アクセスすることを規制して不正改造を防止していた。
【０００４】
【特許文献１】特開２００４−２８３４４３号公報
【発明の開示】
【発明が解決しようとする課題】
【０００５】
しかしながら、構造上２つの基板ケースの合わせ部分には隙間ができ易く、その隙間から工具等が挿入されて不正開放が行われるという課題があった。
【０００６】
本発明はこのような課題に鑑みてなされたものであり、構造が簡単でありながら工具等が挿入される隙間をなくすことによって、不正開放を防止する基板ケースを提供することを目的とする。
【課題を解決するための手段】
【０００７】
前記課題を解決するために本発明に係る基板ケースは、一方側に開口された箱状に形成されて遊技機に取り付けられるケース本体部材と、一方側に開口された箱状に形成されて前記ケース本体部材の内側に嵌入されて装着されるケース蓋部材とを備え、前記ケース本体部材に前記ケース蓋部材を装着して形成されるケース内部に前記遊技機に搭載された電子部品を制御する制御基板を収容する基板ケースにおいて、前記ケース蓋部材の側壁部に外方に突出して形成された複数の係合突起部を、前記ケース本体部材の側壁部に形成された複数の挿入溝部にそれぞれ挿入してスライド移動させることで、前記挿入溝部に繋がって形成された閉止溝部に係合させて前記ケース本体部材に前記ケース蓋部材が装着される構成となっており、前記ケース蓋部材の側壁部に、外方に突出して形成された挿入溝被覆部および間隙被覆部が形成されており、前記挿入溝被覆部は、前記スライド移動により前記係合突起部が前記閉止溝部に係合した状態で前記挿入溝部と近接対向して前記挿入溝部を塞ぐ位置に設けられ、前記間隙被覆部は、前記ケース本体部材の側壁端部と近接対向して前記ケース本体部材の側壁部と前記ケース蓋部材の側壁部との隙間を塞ぐように設けられている。
【０００８】
また、上記構成の基板ケースにおいて、前記係合突起部が前記閉止溝部に係合された状態において、前記ケース本体部材に対する前記ケース蓋部材の前記スライド移動方向への移動を規制する移動規制部材を備えていることが好ましい。
【０００９】
また、上記構成の基板ケースにおいて、前記挿入溝被覆部の肉厚は、前記ケース蓋部材の側壁部の肉厚よりも薄く形成されていることが好ましい。
【発明の効果】
【００１０】
本発明に関する基板ケースによれば、蓋部材には蓋側壁から外方に突出した被覆突起が形成されている。そして、本体部材と蓋部材とを閉止状態にしたとき、この被覆突起が本体側壁の開口端面と近接するように構成されている。よって、閉止状態において、本体側壁と蓋側壁との隙間が被覆突起によって覆われるため、この隙間に工具等を挿入することが不可能となる。そのため、本体側壁と蓋側壁との隙間に工具等を挿入して、本体部材と蓋部材との閉止状態を解くこと（基板ケースの不正開放）を防止可能となる。
【００１１】
また、上記基板ケースにおいて、蓋部材取付溝は、本体側壁の開口端面に凹んで形成された挿入溝が形成されている。また、被覆突起は、スライド方向に延びて形成された間隙被覆突起、および平板状に形成された挿入溝被覆突起から構成されている。そして、本体部材と蓋部材とを閉止状態にしたとき、間隙被覆突起が本体側壁の開口端面と近接し、且つ挿入溝被覆突起が本体側壁の開口端面と近接し挿入溝を覆うように構成されている。よって、閉止状態において、本体側壁と蓋側壁との隙間が間隙被覆突起によって覆われ、且つ挿入溝が挿入溝被覆突起によって覆われるため、本体側壁と蓋側壁との間に工具等を挿入して不正開放を行う隙間をなくすことができる。そのため、本体側壁と蓋側壁との隙間に工具等を挿入して、基板ケースを不正開放することを防止可能となる。
【００１２】
また、上記基板ケースは、閉止状態において挿入溝を覆う挿入溝被覆突起の肉厚が、蓋側壁の肉厚よりも薄く形成されている。よって、挿入溝被覆突起を変形させ挿入溝に工具等を挿入して、基板ケースの不正開放を行おうとすると、挿入溝被覆突起は外力によって容易に破壊されるため、不正開放の痕跡が残りやすく、そのため早期に且つ簡易に不正開放を発見できる。
【発明を実施するための最良の形態】
【００１３】
以下、本発明の好ましい実施形態について図１から図１５を参照して説明する。本発明に係る基板ケースを適用した遊技機の一例として、図１から図３の各図に、それぞれパチンコ機ＰＭの正面図、右側面図、及び背面図を示しており、まずこれらの各図を参照してパチンコ機ＰＭの概要構成について説明する。
【００１４】
パチンコ機ＰＭは、外郭方形枠サイズに構成されて縦向きの固定保持枠をなす外枠１の
開口前面に、これに合わせた方形枠サイズに構成された開閉搭載用の前枠２が、互いの正面左側に配設されたヒンジ機構３ａ，３ｂに支持されて、前方に横開き開閉及び着脱が可能に取り付けられ、正面右側に設けられた施錠装置４を利用して外枠１と係合された閉鎖状態に保持される。
【００１５】
前枠２の前面側上部には、前枠２の前面域に合わせた方形状で中央部に複層ガラスが装
着されたガラス枠５が、正面左側に設けられたヒンジ機構７ａ，７ｂにより前方に横開き開閉および着脱が可能に支持され、正面右側に設けられた施錠装置４により前枠２の前面を覆う閉鎖状態に保持される。ガラス枠５の背後には遊技盤１０を立設姿勢で収容する収容枠が前枠２と一体に成型されており、この収容枠に遊技盤１０が着脱可能に収容保持され、常には閉鎖保持されるガラス枠５の複層ガラスを通して前面の遊技領域を臨ませている。
【００１６】
図１では遊技盤１０の記載を省略するが、遊技盤１０の前面には上下のレール飾りに囲
まれて略円形の遊技領域が区画形成され、この遊技領域に多数本の遊技釘とともに風車や
各種入賞具、遊技の進行状況に応じて所定の画像が表示される画像表示装置などの遊技構
成部品が取り付けられている。また、技領域の下端部には、入賞具に入賞せずに落下した遊技球を、遊技盤１０の裏面側に排出させるアウト口が設けられている。
【００１７】
前枠２の下部領域には、球皿ユニット６が正面左側に設けられたヒンジ機構７ｂ，７ｃ
により、前方に横開き開閉および着脱が可能に支持されるとともに、正面右側に設けられた球皿施錠装置を利用して前枠２の前面を覆う閉鎖状態に保持される。球皿ユニット６に覆われた前枠２の下部領域には、遊技補助盤と称される補助機構部が形成されており、この遊技補助盤には遊技領域に遊技球を発射する遊技球発射装置やファール玉回収通路などが設けられている。また、前枠２の前面下部には、遊技球の発射操作を行う発射ハンドル８が取り付けられている。
【００１８】
前枠２の裏側には、図２および図３に示すように、裏セット盤２０が着脱可能に取り付けられている。この裏セット盤２０には、遊技球を貯留する球貯留タンク２１、球貯留タンクの下側にゆるい傾斜姿勢で取り付けられたタンクレール２２、タンクレール２２により前後各１列の整列状態で導かれた遊技球を、遊技盤１０における入賞状態に基づいて払い出す球払出装置２３、球払出装置２３から払い出された遊技球を球皿ユニット６の球皿に導く払出通路などの賞球機構が設けられている。また、裏面側には電源基板アッセンブリ３１、払出制御基板アッセンブリ３２、主制御基板アッセンブリ３３、画像制御基板アッセンブリ３５などの各種回路基板が取り付けられ、これらの回路基板とパチンコ機各部の電気・電子部品がワイヤーハーネスで接続されて遊技可能に構成される。
【００１９】
パチンコ機ＰＭは、図２に遊技施設の設置枠台（遊技島）に固定された状態を二点鎖線
で略示するように、外枠１が設置枠台ＢＦの枠内に収容された状態で固定設置され、前枠
２の外周縁部から、ガラス枠５、球皿ユニット６などが設置枠台ＢＦから前方に張り出し
て配設される。そして、ガラス枠５や球皿ユニット６等が閉鎖施錠された状態で遊技に供される。
【００２０】
以上ここまでは、パチンコ機ＰＭの概要構成について説明したが、以下において図４から図１５を参照して、パチンコ機ＰＭの裏側に取り付けられた払出制御基板アッセンブリ３２について説明する。ここで、図４に払出制御基板アッセンブリ３２の分解斜視図を示しており、図４に示した矢印方向を前後、左右および上下と定義して以降の説明を行う。
【００２１】
払出制御基板アッセンブリ３２は、図４に示すように、ケース本体部材４０、払出制御基板６０、ケース蓋部材７０および４つのストッパ部材９０を主体に構成される。なお、ケース本体部材４０およびケース蓋部材７０を合わせて、単に基板ケース１００と称する。
【００２２】
払出制御基板６０は、中央部に配置されたＣＰＵ６２および左右に配設された接続コネクタ６３等の電子部品を有して構成される。この基板６１の四隅には基板取付孔６４が形成されており、ケース蓋部材７０前面底部７１の四隅に立設した基板取付突起７９に挿入されて収容される構成となっている。
【００２３】
ケース本体部材４０は、後面側に開口を有する矩形箱状の形状を有しており、ＡＢＳ樹
脂やポリカーボネート（ＰＣ）等の透明な樹脂材料を用いて、射出成形等の成形手段により一体的に成形される。このケース本体部材４０の後面底部４１には、補強リブ４１ａが左右および上下に形成されており、ケース本体部材４０の強度を向上させている。また、後面底部４１の左右側縁部から後方に向けて立設する側壁４２，４２も同様に、その左右に複数の補強リブ４２ｂが形成されており、側壁４２の強度を向上させている。側壁４２の上下中央付近には、左右外方に突出した係合部４３が形成されており、係合部４３の上方に形成された側壁４２の後方側端面が後端面４２ａ、係合部４３の下方に形成された側壁４２の後方側端面が後端面４２ｃとなっている。
【００２４】
係合部４３の構成について図７，１０，１１等を参照して詳説すると、後面底部４１と略平行となって形成された係合底部４３ａ、係合底部４３ａの左右外方縁部から後方に立設した係合側壁４３ｂ、係合側壁４３ｂの後端部から左右内方に延びた第１係合壁４３ｃ、および第１係合壁４３ｃの左右内方端部から前方に延びた第２係合壁４３ｄを主体に構成される。係合底部４３ａおよび係合側壁４３ｂによって形成されて後方に開口した挿入領域４４、また、挿入領域４４と連通して係合側壁４３ｂ、第１係合壁４３ｃ、２係合壁４３ｄ、および左右，前後に延びた下端面４３ｅよって囲まれた係止領域４５が形成されている。なお、係止領域４５は前方に開口している。
【００２５】
ケース本体部材４０の下方左端部に、４つの本体側係合部４６が形成されている。本体側係合部４６は、図６に示すように、ケース本体部材４０にケース蓋部材７０が取り付けられたときに、後述する蓋側係合部７６の各々に覆われる係合底部４６ａと、係合底部４６ａから後方に立設し蓋側係合部７６の開口部の周囲を覆う係合壁部４６ｂとを主体に構成される。また、係合底部４６ａの中央付近には、凹状の係合凹部４６ｃおよび凹状の爪待避凹部４６ｄが、上下に並んで形成されている。また、係合凹部４６ｃおよび爪待避凹部４６ｄを挟むように、係合溝４６ｅ，４６ｅが上下方向に延びて形成されている。
【００２６】
ケース本体部材４０の上端部には、上方に突出して左右に延びた平板状となった本体側仮止部４７，４８が形成されている。図６および図７に示すように、本体側仮止部４７，４８の各上端部には、前方に突出した仮止突起４７ａ，４８ａが左右に延びて形成されている。
【００２７】
ケース蓋部材７０は、ケース本体部材４０の開口を覆う矩形箱状の形状を有しており、
ＡＢＳ樹脂やポリカーボネート（ＰＣ）等の透明な樹脂材料を用いて、射出成形等の成形手段により一体的に成形される。このケース蓋部材７０の前面底部７１には、補強リブ７１ａが左右および上下に形成されており、ケース蓋部材７０の強度を向上させている。この前面底部７１の左右側縁部から前方に向けて立設する側壁７２，７２には、それぞれ左右外方に突出する係止突起７３が、上述の係合部４３と対応する位置に形成されている。
【００２８】
係止突起７３の構成を図９および図１１等を参照して詳説すると、側壁７２から左右外方に延びた第１突起部７３ａ、および第１突起部７３ａの左右外方端部から後方に延びた第２突起部７３ｂから構成されている。また、係止突起７３の下端部には下端面７３ｃが形成されている。
【００２９】
係止突起７３の後方には、側壁７２から左右外方に延びた第１被覆突起７２ａ、第２被覆突起７２ｂおよび第３被覆突起７２ｃが形成されている。これらの被覆突起７２ａ，７２ｂ，７２ｃについて、図８および図９等を参照して詳説すると、側壁７２の上端部から下方に延びて第１被覆突起７２ａが形成され、第１被覆突起７２ａの下端部と繋がるとともに第１被覆突起７２ａと略平行となった第２被覆突起７２ｂが、平板状に形成されている。また、第３被覆突起７２ｃは側壁７２の下端部から上方に延びて形成され、第３被覆突起７２ｃの形状は第１被覆突起７２ａと同一となっている。
【００３０】
第１被覆突起７２ａおよび第３被覆突起７２ｃの左右幅は、ケース本体部材４０の側壁４２の左右幅と略同一となっている。第１被覆突起７２ａ、第３被覆突起７２ｃの上下長さは、後端面４２ａ、後端面４２ｃの上下長さと略同一となっている。第２被覆突起７２ｂの左右幅は、ケース本体部材４０の係合部４３の左右幅と略同一であって、第２被覆突起７２ｂの上下幅は挿入領域４４の上下幅と略同一となっている。ここで、第２被覆突起７２ｂ下端部の上下位置は、係止突起７３上端部の上下位置と略同一となるように形成され、また、第３被覆突起７２ｃ上端部の上下位置は、係止突起７３下端部の上下位置と略同一となるように形成されている。さらに、第２被覆突起７２ｂの肉厚は、側壁７２の肉厚よりも薄く形成されている。
【００３１】
ケース蓋部材７０の下方左端部に、４つの蓋側係合部７６が形成されている。図８等に示すように、蓋側係合部７６は、前方側（ケース本体部材４０にケース蓋部材７０が取り付けられたときに、本体側係合部４６と対向する側）が開口した矩形箱状に形成されている。また、蓋側係合部７６の外周部には、外方に突出した被覆突起７６ａが形成されている。なお、この蓋側係合部７６は、払出制御基板６０を収容する部分と切断分離可能に構成されている。
【００３２】
図４等に示すように、ケース蓋部材７０の上側側壁７５には、上方に突出して左右に延びた蓋側仮止部７７，７８が形成されている。蓋側仮止部７７，７８は中央部分が中空となってコの字状に形成されており、コの字状の上端部には係止部７７ａ，７８ａがそれぞれ左右に延びて形成されている。また、上側側壁７５の蓋側仮止部７７，７８が形成された部分には、本体側仮止部４７，４８が上下に挿入可能に貫通したスリット孔７７ｂ，７８ｂが形成されている。
【００３３】
ストッパ部材９０は、図１２（ａ）および（ｂ）に示すように、樹脂等を用いて矩形箱状に形成されており、矩形箱状の内側部材９１と矩形箱状の外側部材９５とが組み合わされて構成される。内側部材９１は、図１３（ａ）および（ｂ）に示すように、一方の面が開口して内側開口部９２が形成されている。内側開口部９２を形成する側面のうち、一方の対向する面の各々には、外方に突出する取付爪部９３，９３が形成されている。また、他方の対向する面のうちの一つの面には、外方に突出する係止突起部９４が形成されている。
【００３４】
外側部材９５は、図１４（ａ）および（ｂ）に示すように、一方の面が開口した外側開口部９６を有し、この外側開口部９６と対向する面９６ａに舌状に切り込まれた、係合爪部９８が形成されている。この係合爪部９８は、面９６ａに対して外側になだらかに傾斜する傾斜面９８ａを有し、傾斜面９８ａの先端側は、面９６ａに対して略垂直な係合面９８ｂを有している。面９６ａには、係合爪部９８を挟むように外方に突出し、且つ係合爪部９８が延びる方向に対して略平行に延びたガイド部９７，９７が形成されている。また、外側開口部９６を形成する一対の側壁の各々の略中央部には、取付孔９９が形成されている。
【００３５】
以上のように構成された外側部材９５の外側開口部９６に対して、内側部材９１を内側開口部９２側から挿入すると、取付孔９９に取付爪部９３が係合して外側部材９５に内側部材９１が固定されて、ストッパ部材９０が組み立てられる。このとき、内側部材９１の係止突起部９４が外側部材９５から外方に突出する。
【００３６】
以上ここまでは、払出制御基板アッセンブリ３２の構成部材について説明したが、以下において、払出制御基板アッセンブリ３２の組立構成について説明する。
【００３７】
まず、４つのストッパ部材９０を、ケース蓋部材７０の蓋側係合部６４に挿入する。このとき、ストッパ部材９０の係止突起部９４が、蓋側係合部７６の内壁に押しつけられて弾性で付勢するため、この蓋側係合部７６の開口部を下方に向けてもストッパ部材９０は容易に脱落しない。そして、払出制御基板６０の基板取付孔６４を、ケース蓋部材７０の基板取付突起７９に挿入して、払出制御基板６０をケース蓋部材７０に取付ける。そして、ケース本体部材４０とケース蓋部材７０とを、互いの開口部を向かい合わせて閉止状態にする。
【００３８】
このとき、まず図１０（ａ）に示すように、ケース蓋部材７０の側壁７２を、ケース本体部材４０の側壁４２の左右内方に形成された開口部に挿入するとともに、挿入領域４４に係止突起７３を後方から前方へと挿入し、係止突起７３を係合底部４３ａに近接（または当接）させる（図１０（ｂ）を参照）。そして、係止突起７３が係合底部４３ａに近接した状態のまま、ケース蓋部材７０を下方にスライド移動させ、図１０（ｃ）に示すように、係止突起７３の下端面７３ｃを係合部４３の下端面４３ｅに近接（または当接）させて、ケース本体部材４０とケース蓋部材７０とを閉止状態とする。このとき、図１１に示すように、係止領域４５の断面視コの字状部分に第２突起部７３ｂを上下に挿通させながら下方にスライド移動させることにより、ケース蓋部材７０（係止突起７３）は左右および前後にガイドされながらスライド移動可能となる。よって、閉止状態における、ケース本体部材４０に対するケース蓋部材７０の位置精度を向上させることが可能である。
【００３９】
また、図５および図１０（ｃ）に示す閉止状態において、第１被覆突起７２ａは、ケース本体部材４０の後端面４２ａに近接するとともに、後端面４２ａ全体を後方側から覆っている。第２被覆突起７２ｂは、係合部４３に近接するとともに挿入領域４４を後方側から塞ぐように覆っている。第３被覆突起７２ｃは、ケース本体部材４０の後端面４２ｃに近接するとともに、後端面４２ｃ全体を後方側から覆っている。このことから分かるように、後方から見ると、側壁７２と側壁４２の隙間は、上記被覆突起７２ａ，７２ｂ，７２ｃによって覆われて塞がれるように構成されている。そのため、側壁７２と側壁４２との隙間にドライバー等の工具を挿入して、閉止状態となったケース本体部材４０とケース蓋部材７０とを不正開放しようとしても、工具を挿入する隙間がなく不正開放ができない構成となっている。よって、基板ケース１００（閉止状態となった、ケース本体部材４０とケース蓋部材７０）の不正開放を防止可能である。
【００４０】
第２被覆突起７２ｂの肉厚は、側壁７２の肉厚よりも薄く破壊されやすく形成されている。そのため、第２被覆突起７２ｂを変形させ挿入領域４４に工具を挿入して不正開放を行おうとする場合には、小さな外力によって第２被覆突起７２ｂが破壊され、不正開放が行われた痕跡が残りやすい構成となっている。よって、早期に且つ簡易に不正開放を発見できる。また、上述のように側壁４２および係合部４３の左右には、複数の補強リブ４２ｂが形成されており、側壁４２および係合部４３は左右方向に作用する外力に抗するように補強されている。よって、側壁４２および係合部４３を、工具を使って変形させ不正開放を行おうとしても、側壁４２および係合部４３は変形しにくく、不正開放をされにくい構成となっている。
【００４１】
また、閉止状態において、被覆突起７２ａ，７２ｃの左右外方端部は、ケース本体部材４０の側壁４２から左右外方に突出していない。また、第２被覆突起７２ｂの左右外方端部は、係合部４３の係合側壁４３ｂから左右外方に突出していない。このように、工具が挿入される隙間をなくしつつ、被覆突起７２ａ，７２ｂ，７２ｃを極力小さく形成し、ケース蓋部材７０をコンパクトに構成することによって、基板ケース１００全体を小型化できる。
【００４２】
以下において、図１０（ａ）から（ｃ）に示すようにして、ケース本体部材４０とケース蓋部材７０とを閉止状態にする際の、本体側仮止部４７，４８および蓋側仮止部７７，７８の働きについて説明する。ケース本体部材４０にケース蓋部材７０を取付ける際に、蓋側仮止部７７，７８のスリット孔７７ｂ，７８ｂに本体側仮止部４７，４８を上下に挿入する。そして、図１０（ｃ）に示す閉止状態においては、係止部７７ａ，７８ａの上端部に仮止突起４７ａ，４８ａが係合している。そのため、係止部７７ａ，７８ａの上端部に仮止突起４７ａ，４８ａが当接することによって、ケース本体部材４０に対してケース蓋部材７０が、上方にスライド移動することを規制可能となっている。また、左右に延びた２つの仮止突起４７ａ，４８ａが、左右に延びた２つの係止部７７ａ，７８ａの上端部に係合して当接しているため、大きな外力を作用させてケース蓋部材７０を上方にスライド移動させても、この係合は簡単に解かれない構成となっている。
【００４３】
以下において、図１０（ａ）から（ｃ）に示すようにして、ケース本体部材４０とケース蓋部材７０とを閉止状態にする際の、ストッパ部材９０の働きについて説明する。上述のように、４つのストッパ部材９０が、ケース蓋部材７０の蓋側係合部７６に挿入されている。このとき、４つのうち例えば最も右のストッパ部材９０のみ係合爪部９８を前方に向け、その他の３つは、係合爪部９８を後方に向けて蓋側係合部７６に挿入する。図１０（ｂ）に示す状態のとき、最も右のストッパ部材９０の係合爪部９８は、爪待避凹部４６ｄに入り込んでおり、また、ガイド部９７，９７が係合溝４６ｅ，４６ｅに入り込んだ状態となっている（図１５（ｂ）を参照）。図１０（ｂ）に示す状態から図１０（ｃ）に示す状態に移行するとき、最も右のストッパ部材９０の係合爪部９８は、その傾斜面９８ａと爪待避凹部４６ｄの下端側に形成された傾斜面とが当接し、係合爪部９８は押し上げられながら下方に移動して、係合凹部４６ｃに入り込む（図１５（ａ）を参照）。
【００４４】
そして、係合爪部９８の係合面９８ｂが、係合凹部４６ｃと当接することによって、ケース蓋部材７０の上方へのスライド移動を禁止し、ケース本体部材４０に対してケース蓋部材７０を固定保持する構成となっている。またこのとき、係合壁部４６ｂの先端部と被覆突起７６ａとが近接して、蓋側係合部７６の開口部と本体側係合部４６の係合底部４６ａとの間隙をなくすように構成されている。そのため、この隙間から工具を挿入して不正開放を行うことを防止可能である。なお、蓋側係合部７６に対して、係合爪部９８がこの蓋側係合部７６内に位置するように向けられて（係合爪部９８が後方を向いた状態で）挿入された場合、本体側係合部４６と蓋側係合部７６とは係合せず、ケース本体部材４０に対してケース蓋部材７０は上方にスライド移動可能である。よって、最も右の蓋側係合部７６を、払出制御基板６０が収容された部分と切断分離して、本体側係合部４６と蓋側係合部７６との係合を解くことによって、ケース本体部材４０に対してケース蓋部材７０は上方にスライド移動（基板ケース１００を開放）できる構成となっている。
【００４５】
本発明を適用した払出制御基板アッセンブリ３２（基板ケース１００）の効果を簡単にまとめてみると、第１に、図５に示すように、閉止状態の基板ケース１００を後方から見ると、側壁７２と側壁４２の隙間は、被覆突起７２ａ，７２ｂ，７２ｃによって完全に覆われて塞がれるように構成されている。そのため、側壁７２と側壁４２との隙間にドライバー等の工具を挿入して、閉止状態となったケース本体部材４０とケース蓋部材７０とを不正開放しようとしても、工具を挿入する隙間がなく不正開放ができない構成となっている。よって、基板ケース１００の不正開放を防止可能である。
【００４６】
第２に、第２被覆突起７２ｂの肉厚は、側壁７２の肉厚よりも薄く形成されており、そのため、第２被覆突起７２ｂは小さな外力が作用することによって簡単に破壊される。そのため、第２被覆突起７２ｂを変形させ挿入領域４４に工具を挿入して不正開放を行おうとする場合には、第２被覆突起７２ｂが簡単に破壊され、不正開放が行われた痕跡が残りやすい構成となっている。よって、早期に且つ簡易に不正開放を発見できる。
【００４７】
上述の実施例では、ケース本体部材４０およびケース蓋部材７０において、スライド移動方向（上下方向）に平行な側面４２，７２に、左右一対の係合部４３、係止突起７３が形成されているが、この構成に限定されない。例えば、側面４２，７２において、係合部４３、係止突起７３の形成位置および形成個数は任意に構成可能であり、これに合わせて被覆突起を形成することで、側壁４２と側壁７２との隙間が被覆突起によって塞がれて不正開放を防止できる。
【００４８】
本発明は上述の実施例に限定して解釈されるものではなく、内部に基板を保持して閉止状態にする基板ケースを備えたもの、例えば主制御基板アッセンブリ等にも適応可能である。
【図面の簡単な説明】
【００４９】
【図１】本発明を適用した遊技機の一例として示すパチンコ機の正面図である。
【図２】上記パチンコ機の右側面図である。
【図３】上記パチンコ機の背面図である。
【図４】上記パチンコ機に設けられた払出制御基板アッセンブリの分解斜視図である。
【図５】払出制御基板アッセンブリの右端部を示した斜視図である。
【図６】（ａ）はケース本体部材を後方から見た平面図で、（ｂ）はケース本体部材を前方から見た平面図である。
【図７】ケース本体部材の右端部を示した斜視図である。
【図８】（ａ）はケース蓋部材を後方から見た平面図で、（ｂ）はケース蓋部材を前方から見た平面図である。
【図９】ケース蓋部材の右端部を示した斜視図である。
【図１０】図５中のＸ−Ｘ部分を示した断面図であって、（ａ）は係止突起が挿入領域に挿入される前の状態を示した断面図で、（ｂ）は係止突起が挿入領域に挿入された状態を示した断面図で、（ｃ）は係止突起が係止領域にスライド移動した状態を示した断面図である。
【図１１】図５中のＸＩ−ＸＩ部分を示した断面図である。
【図１２】（ａ）、（ｂ）共にストッパ部材を示した斜視図である
【図１３】（ａ）、（ｂ）共に内側部材を示した斜視図である。
【図１４】（ａ）、（ｂ）共に外側部材を示した斜視図である。
【図１５】（ａ）は図５中のＸＶ（ａ）−ＸＶ（ａ）部分を示した断面図で、（ｂ）は図５中のＸＶ（ｂ）−ＸＶ（ｂ）部分を示した断面図である。
【符号の説明】
【００５０】
４０  ケース本体部材（本体部材）
４１  後面底部（底部）
４２  側壁（本体側壁）
４２ａ  後端面（開口端面）
４２ｃ  後端面（開口端面）
４４  挿入領域（挿入溝）
４５  係止領域（閉止溝）
７０  ケース蓋部材（蓋部材）
７１  前面底部（底部）
７２  側壁（蓋側壁）
７２ａ  第１被覆突起（間隙被覆突起）
７２ｂ  第２被覆突起（挿入溝被覆突起）
７２ｃ  第３被覆突起（間隙被覆突起）
７３  係止突起（係合突起）
１００  基板ケース
【図１】
0004905718.tif 000002
【図２】
0004905718.tif 000003
【図３】
0004905718.tif 000004
【図４】
0004905718.tif 000005
【図５】
0004905718.tif 000006
【図６】
0004905718.tif 000007
【図７】
0004905718.tif 000008
【図８】
0004905718.tif 000009
【図９】
0004905718.tif 000010
【図１０】
0004905718.tif 000011
【図１１】
0004905718.tif 000012
【図１２】
0004905718.tif 000013
【図１３】
0004905718.tif 000014
【図１４】
0004905718.tif 000015
【図１５】
0004905718.tif 000016